(57)【特許請求の範囲】
【請求項１】
リスナの頭部に対する所定位置に装着された内部に空間を有する筐体部と、
上記筐体部の一面に取り付けられ、上記筐体部が上記リスナの頭部に装着された際、上記リスナの外耳道入口との間に所定の距離が設けられるスピーカユニットと、
上記筐体部の内部空間から区切られた２組の小空間と、上記内部空間に生じた音を当該小空間内に伝える２組の内部ダクトと、一方の上記小空間から上記リスナの外耳道入口近傍まで延長されると共に他方の上記小空間へ戻る略Ｕ字状に形成され、上記リスナの上記外耳道入口近傍に放音用の孔部が設けられた外部ダクトとを具え、上記内部空間に生じさせた音から中高域成分を低減し上記リスナの外耳道入口近傍まで到達させるダクト部と
を具える電気音響変換器。
【請求項２】
上記ダクト部は、
上記２組の内部ダクトにおける音響特性が互いに異なる
請求項１に記載の電気音響変換器。
【請求項３】
上記ダクト部は、
上記２組の小空間における音響特性が互いに異なる
請求項１に記載の電気音響変換器。
【請求項４】
上記ダクト部は、
上記外部ダクトにおける上記２組の小空間から上記孔部までの各有効長が互いに異なる
請求項１に記載の電気音響変換器。
【請求項５】
上記ダクト部は、
上記内部ダクトに代えて上記内部空間に生じた音を当該小空間内に伝えるパッシブラジエータを具える
請求項１に記載の電気音響変換器。
【請求項６】
上記ダクト部は、
バスレフ型スピーカのダクトとして作用する
請求項１に記載の電気音響変換器。
【請求項７】
上記外部ダクトは、
上記孔部が上記外耳道入口と異なる方向に向けられている
請求項１に記載の電気音響変換器。
【請求項８】
上記筐体部は、
上記リスナの頭部に装着された際、上記スピーカユニットの放音面をおおよそ上記リスナの外耳道入口の方向へ向けさせる
請求項１に記載の電気音響変換器。
【請求項９】
リスナの頭部に対する所定位置に装着された内部に空間を有する筐体部と、上記筐体部の一面に取り付けられ、上記筐体部が上記リスナの頭部に装着された際、上記リスナの外耳道入口との間に所定の距離が設けられるスピーカユニットと、上記筐体部の内部空間から区切られた２組の小空間と、上記内部空間に生じた音を当該小空間内に伝える２組の内部ダクトと、一方の上記小空間から上記リスナの外耳道入口近傍まで延長されると共に他方の上記小空間へ戻る略Ｕ字状に形成され、上記リスナの上記外耳道入口近傍に放音用の孔部が設けられた外部ダクトとを具え、上記内部空間に生じさせた音から中高域成分を低減し上記リスナの外耳道入口近傍まで到達させるダクト部とを有する電気音響変換器と、
上記スピーカユニットと上記リスナの外耳道入口との間に上記所定距離が設けられるよう上記電気音響変換器を上記リスナの頭部に装着させる装着部と
を具えるイヤースピーカ装置。
【請求項１０】
上記装着部は、
上記電気音響変換器を上記リスナの頭部に装着させる際、上記スピーカユニットを上記リスナの外耳道入口よりも前方に位置させると共に、上記リスナの外耳道入口よりも後方に位置させるための所定の後方用スピーカユニットが取り付けられた後方用筐体部を具える
請求項９に記載のイヤースピーカ装置。
【請求項１１】
上記装着部は、
上記筐体部に加え、上記リスナの頭部に振動を加えるための当該装着部に装着された所定の加振器を具える
請求項９に記載のイヤースピーカ装置。
【発明の詳細な説明】
【技術分野】
【０００１】
本発明は電気音響変換器及びイヤースピーカ装置に関し、例えば頭部装着型のウェアラブルスピーカ装置に適用して好適なものである。
【背景技術】
【０００２】
従来、頭部装着型のウェアラブルスピーカ装置の一例であるヘッドホン装置においては、リスナの頭部に装着された状態でＣＤ（Compact Disc）の再生音声等を表す電気信号を音（以下、これを再生音と呼ぶ）に変換し、当該リスナに聴取させるようになされたものが広く普及している。
【０００３】
一般的なヘッドホン装置では、音を発生させるスピーカユニットがリスナの外耳道入口の正面付近に位置するようになされており、当該スピーカユニットから鼓膜に対して直接的に音を到達させ音質を向上し得るものの、音像をリスナの頭内に定位させることになり当該リスナに不自然な印象を与えてしまっていた。
【０００４】
このためヘッドホン装置の中には、スピーカユニットを外耳道入口（耳孔）からやや離隔させ前頭部側に位置させることにより、一般的な据置型のスピーカを用いた場合のように音像を頭外に定位させ不自然感を払拭させると共に、リスナの耳の周囲に密閉空間を形成する密閉型とすることにより充分な低音を聴取させ得るよう図られたものが考案されている（例えば、特許文献１参照）。
【特許文献１】特許第３０５４２９５号公報（第３頁、第１図）
【発明の開示】
【発明が解決しようとする課題】
【０００５】
ところで、かかる構成のヘッドホン装置に対して、充分な低音を含む良好な音質を維持しながら開放型とすることによりリスナに開放感を与えたいという要望があるものの、スピーカユニットが耳孔から離隔されているため、単純に密閉型を開放型としただけでは低音域が不足し音質を悪化させてしまい、かかる要望に応じ得ないという問題があった。
【０００６】
本発明は以上の点を考慮してなされたもので、自然な音像定位を与え充分な低音を含む高品質な再生音をリスナに聴取させ得る電気音響変換器及びイヤースピーカ装置を提案しようとするものである。
【課題を解決するための手段】
【０００７】
かかる課題を解決するため本発明の電気音響変換器においては、リスナの頭部に対する所定位置に装着された内部に空間を有する筐体部と、筐体部の一面に取り付けられ、筐体部がリスナの頭部に装着された際、リスナの外耳道入口との間に所定の距離が設けられるスピーカユニットと、筐体部の内部空間から区切られた２組の小空間と、内部空間に生じた音を当該小空間内に伝える２組の内部ダクトと、一方の小空間からリスナの外耳道入口近傍まで延長されると共に他方の小空間へ戻る略Ｕ字状に形成され、リスナの外耳道入口近傍に放音用の孔部が設けられた外部ダクトとを具え、内部空間に生じさせた音から中高域成分を低減しリスナの外耳道入口近傍まで到達させるダクト部とを設けるようにした。
【０００８】
これにより、外耳道入口との間に所定の距離が設けられたスピーカユニットから放射する中高音を外耳道内へ到達させ得ると共に、略Ｕ字状であるためリスナの外耳道入口に当接させたときに傷つけることなく放音用の孔部の位置を安定された外部ダクトを介してリスナの外耳道入口近傍から中高音が殆ど含まれない低音も効率良く十分に外耳道内へ到達させ得るので、自然な音像をリスナの頭外に定位させ得る中高音と音圧レベルが高められた低音とを合わせて当該リスナに聴取させることができる。
【０００９】
また本発明のイヤースピーカ装置においては、リスナの頭部に対する所定位置に装着された内部に空間を有する筐体部と、筐体部の一面に取り付けられ、筐体部がリスナの頭部に装着された際、リスナの外耳道入口との間に所定の距離が設けられるスピーカユニットと、筐体部の内部空間から区切られた２組の小空間と、内部空間に生じた音を当該小空間内に伝える２組の内部ダクトと、一方の小空間からリスナの外耳道入口近傍まで延長されると共に他方の小空間へ戻る略Ｕ字状に形成され、リスナの外耳道入口近傍に放音用の孔部が設けられた外部ダクトとを具え、内部空間に生じさせた音から中高域成分を低減しリスナの外耳道入口近傍まで到達させるダクト部とを有する電気音響変換器と、スピーカユニットとリスナの外耳道入口との間に所定距離が設けられるよう電気音響変換器をリスナの頭部に装着させる装着部とを設けるようにした。
【００１０】
これにより、外耳道入口との間に所定の距離が設けられたスピーカユニットから放射する中高音を外耳道内へ到達させ得ると共に、略Ｕ字状であるためリスナの外耳道入口に当接させたときに傷つけることなく放音用の孔部の位置を安定された外部ダクトを介してリスナの外耳道入口近傍から中高音が殆ど含まれない低音も効率良く十分に外耳道内へ到達させ得るので、自然な音像をリスナの頭外に定位させ得る中高音と音圧レベルが高められた低音とを合わせて当該リスナに聴取させることができる。
【発明の効果】
【００１１】
本発明によれば、外耳道入口との間に所定の距離が設けられたスピーカユニットから放射する中高音を外耳道内へ到達させ得ると共に、略Ｕ字状であるためリスナの外耳道入口に当接させたときに傷つけることなく放音用の孔部の位置を安定された外部ダクトを介してリスナの外耳道入口近傍から中高音が殆ど含まれない低音も効率良く十分に外耳道内へ到達させ得るので、自然な音像をリスナの頭外に定位させ得る中高音と音圧レベルが高められた低音とを合わせて当該リスナに聴取させることができる。かくして本発明は、自然な音像定位を与え充分な低音を含む高品質な再生音をリスナに聴取させ得る電気音響変換器及びイヤースピーカ装置を実現できる。
【発明を実施するための最良の形態】
【００１２】
以下、図面について、本発明の一実施の形態を詳述する。
【００１３】
（１）イヤースピーカ装置の構成
図１、図２及び図３において、イヤースピーカ装置１は、全体としてポータブルＣＤ（Compact Disc）プレーヤやＤＭＰ（Digital Music Player）の再生処理等により生成された電気信号を音に変換しリスナに聴取させるようになされている。
【００１４】
イヤースピーカ装置１は、一般的な箱形のスピーカ装置とは異なり、ヘッドホン装置と同様にリスナの頭部に装着されることを前提としており、大きく分けて電気信号を音（以下、これを再生音と呼ぶ）に変換する電気音響変換部２Ｌ及び２Ｒと、当該電気音響変換部２Ｌ及び２Ｒをリスナの頭部に装着して固定させるためのバンド部３とにより構成されている。
【００１５】
電気音響変換部２Ｌ及び２Ｒは、球体が垂直方向に４等分されたような形状でなる筐体部４Ｌ及び４Ｒを中心に構成されている。筐体部４Ｌ及び４Ｒは、それぞれ後面側及び左右内側に平面部分が形成されており、左右内側にはリスナの頭部に対する側圧を和らげるためのパッド部５Ｌ及び５Ｒが取り付けられている。
【００１６】
筐体部４Ｌ及び４Ｒの後面側における平面部分であるバッフル板４ＡＬ及び４ＡＲには、電気信号を音に変換するスピーカユニット７Ｌ及び７Ｒが取り付けられている。このスピーカユニット７Ｌ及び７Ｒは、ポータブルＣＤプレーヤやＤＭＰ等から接続ケーブル６を介して供給される電気信号に応じて、振動板を振動させることにより放音するようになされている。
【００１７】
また筐体部４Ｌ及び４Ｒのバッフル板４ＡＬ及び４ＡＲには、所定太さを有する中空の部材が側面略Ｕ字状に曲げられた外部ダクトとしての管状ダクト８Ｌ及び８Ｒが取り付けられている。この管状ダクト８Ｌ及び８Ｒは、図１に示したように、後端側がそれぞれ左右内側方向に曲げられており、さらに後側先端部のほぼ中央にそれぞれ孔部８ＡＬ及び８ＡＲが設けられている。
【００１８】
バンド部３は、中央部３Ａを中心に一般的な人間の頭部の形状に合わせて上に凸の略アーチ型に形成されていると共に、当該中央部３Ａに対して伸縮自在に摺動し得るアジャスト部３ＢＬ及び３ＢＲによりバンド部３全体の長さを調整し得るようになされている。
【００１９】
またバンド部３は、一般的な人間の頭部の形状よりも小さい径のアーチ型に形成されると共に弾性力を有しており、リスナに装着される際に筐体部４Ｌ及び４Ｒを左右に広げながら装着されると、装着後に当該弾性力の作用によって元の形状に戻ろうとするため、筐体部４Ｌ及び４Ｒを当該リスナの頭部に対して当接させた状態で保持することができる。
【００２０】
なお、イヤースピーカ装置１は、図１〜図３に示したようにほぼ左右対称に構成されているため、以下では主に左側の電気音響変換部２Ｌを例に説明する。
【００２１】
実際上、イヤースピーカ装置１は、図４に左側面図を示すように、バンド部３における長さが調整された上でリスナの頭部１００に装着されることにより、アジャスト部３ＢＬ及び３ＢＲの下端側に取り付けられた電気音響変換部２Ｌをリスナの頭部における耳介１０１Ｌよりもやや前方に位置させるようになされている。
【００２２】
これによりイヤースピーカ装置１の電気音響変換部２Ｌは、スピーカユニット７Ｌから放射された中高音を直接リスナの外耳道内部へ到達させると共に、当該リスナの頬や耳介１０１Ｌ等で反射された反射音も外耳道内部へ到達させることができるため、一般的な据置型スピーカを介して聴取した場合と同様の、自然な音像定位を与えることができる。
【００２３】
このときイヤースピーカ装置１は、リスナに正常に装着された際、スピーカユニット７Ｌが耳介１０１Ｌ及び外耳道入口１０２Ｌのやや前方に位置し、管状ダクト８Ｌの孔部８ＡＬが外耳道入口１０２Ｌの近傍に位置するようになされている。
【００２４】
因みに管状ダクト８Ｌは、側面略Ｕ字状に形成されているため、リスナの外耳道内へ入り込まないようになされている。これによりイヤースピーカ装置１は、当該リスナが装着時等に誤って管状ダクト８Ｌにより当該外耳道内を傷つけてしまうことを未然に防止し得るようになされている。
【００２５】
ここで、図４におけるＱ１−Ｑ２断面図及びＱ３−Ｑ４断面図を図５及び図６に示し、また図５におけるＱ５−Ｑ６断面を図７に示す。この図５〜図７に示すように、筐体部４Ｌは、全体としてほぼ密閉された空間を形成しており、さらに内部に設けられた内部隔壁４ＴＬ及び４ＵＬにより区切られた小空間４ＣＬ及び４ＤＬを形成している。
【００２６】
この小空間４ＣＬ及び４ＤＬは、管状ダクト８Ｌがバッフル板４ＡＬを貫通することにより当該管状ダクト８Ｌ内の空間と繋げられており、また前方へ向けて設けられた管状の内部ダクト９ＡＬ及び９ＢＬを介して筐体部４Ｌ内の空間とも繋げられている。
【００２７】
すなわち筐体部４Ｌは、内部ダクト９ＡＬ及び９ＢＬ、小空間４ＣＬ及び４ＤＬ、並びに管状ダクト８Ｌにより構成される２系統のダクト（以下、これをダクト部ＤＣＬと呼ぶ）が設けられていることになる。
【００２８】
ここで、ダクト部ＤＣＬの各系統は、図８に示すように、その音響回路を電気的な等価回路により表すことができる。この図８において、コイルＬ１は、内部ダクト９ＬＡ（または９ＬＢ）に相当し、当該内部ダクト９ＬＡ（または９ＬＢ）内の空気の等価質量を表す。同様にコイルＬ２は、管状ダクト８Ｌのうち１系統分に相当し、当該管状ダクト８Ｌ内の空気の等価質量を表す。一方、小空間４ＣＬ（または４ＤＬ）は、コンデンサＣ１に相当し、当該小空間４ＣＬ（または４ＤＬ）のコンプライアンス（容積）を表す。
【００２９】
この図８に示した等価回路は、全体としてＬＣフィルタを構成しており、音声信号に含まれる所定周波数以上の中高域成分を遮断し、低域成分のみを通過することになる。すなわちダクト部ＤＣＬ（図６）は、系統ごとに音響フィルタとして作用することにより、筐体部４Ｌ内の空間から伝達される音のうち中高域成分を減衰させ、主に低域成分を管状ダクト８Ｌの孔部８ＡＬから放出することになる。
【００３０】
因みに小空間４ＣＬ及び４ＤＬは、減衰させる中高域成分の周波数等に応じてその容積や断面積等が適宜調整されることにより、所望の音響特性を得られるようになされている。同様に内部ダクト９ＬＡ及び９ＬＢは、減衰させる中高域成分の周波数等に応じてその長さ及び内径等が適宜設定されることにより、所望の音響特性を得られるようになされている。
【００３１】
またダクト部ＤＣＬは、各系統がスピーカユニット７Ｌに対する共振回路としても作用する。すなわち電気音響変換部２Ｌは、ダクト部ＤＣＬを２系統のバスレフダクトとして作用させることにより、全体としてバスレフ型のスピーカとして動作するようになされている。因みに管状ダクト８Ｌは、内端部８ＢＬ（図６）から孔部８ＡＬ（図５）までの有効な長さが調整されることにより、適切な共振周波数等に設定されるようになされている。
【００３２】
なお、右側の電気音響変換器２Ｒには、ダクト部ＤＣＬとほぼ左右対称のダクト部ＤＣＲ（図示せず）が設けられている。
【００３３】
ところで、一般的なバスレフ型スピーカでは、ダクトが筐体の内部のみに設けられ、外部へは延長されないようになされている。そこで、電気音響変換部２Ｌとの比較用に、図５と対応する図９に示すような電気音響変換部１２Ｌを想定する。この電気音響変換部１２Ｌは、一般的なバスレフ型スピーカと同様に構成されており、筐体部４の内側のみに電気音響変換部２Ｌにおけるダクト部ＤＣＬに代えて２本の管状ダクト１８Ｌ及び１９Ｌを有している。
【００３４】
この電気音響変換部１２Ｌの場合、スピーカユニット７Ｌの位置を仮想的な音源の位置（以下、これを仮想音源位置と呼ぶ）ＰＭと見なしたときの、当該スピーカユニット７Ｌから放射された中高音がリスナの鼓膜１０３Ｌに到達するまでの経路長ＥＭと、孔部１８ＡＬ及び１９ＡＬを仮想音源位置ＰＬ２と見なしたときの、管状ダクト１８Ｌ内及び１９Ｌ内を伝わり当該孔部１８ＡＬ及び１９ＡＬから放射された低音がリスナの鼓膜１０３Ｌに到達するまでの経路長ＥＬ２とを比較すると、経路長ＥＭ≒経路長ＥＬ２となっている。
【００３５】
ここで、電気音響変換部１２Ｌにより鼓膜１０３Ｌに到達する音の周波数特性を図１０に示す。この図１０に示すように、一般的なバスレフ型の電気音響変換部１２Ｌは、スピーカユニット７Ｌから放射される、特性曲線ＳＭに示すような周波数特性でなる中高音と、管状ダクト１８Ｌ内及び１９Ｌ内を伝わり孔部１８ＡＬ及び１９ＡＬから放射される、特性曲線ＳＬ２に示すような周波数特性でなる低音とを合わせてリスナの鼓膜１０３Ｌまで到達させることになる。
【００３６】
これにより電気音響変換部１２Ｌは、特性曲線ＳＭ及び特性曲線ＳＬ２が合成された特性曲線ＳＧ２に示すように、特性曲線ＳＭにおける低音域の音圧レベルがある程度上昇された再生音をリスナに聴取させることができる。
【００３７】
一方、本発明による電気音響変換部２Ｌ（図５）では、スピーカユニット７Ｌを仮想音源位置ＰＭとみなしたときの、当該スピーカユニット７Ｌから放射された中高音がリスナの鼓膜１０３Ｌに到達するまでの経路長ＥＭと、孔部８ＡＬを仮想音源位置ＰＬ１と見なしたときの、内部ダクト９ＡＬ及び９ＢＬ並びに小空間４ＣＬ及び４ＤＬを介して管状ダクト８Ｌ内を伝わり当該孔部８ＡＬから放射された低音がリスナの鼓膜１０３Ｌに到達するまでの経路長ＥＬ１とを比較すると、経路長ＥＭ＞経路長ＥＬ１となっている。
【００３８】
ここで、電気音響変換部２Ｌにより鼓膜１０３Ｌに到達する音の周波数特性を図１１に示す。電気音響変換部２Ｌは、上述したようにバスレフ型スピーカの一種であるため、図１０に示した場合と同様、スピーカユニット７Ｌから放射される、特性曲線ＳＭに示すような周波数特性でなる中高音と、ダクト部ＤＣＬ内を伝わり孔部８ＡＬから放射される、特性曲線ＳＬ１に示すような周波数特性でなる低音とを合わせてリスナの鼓膜１０３Ｌまで到達させることになる。
【００３９】
ところで、一般に音源からの距離と音圧レベルとは反比例の関係にある。ここで電気音響変換部２Ｌ（図５）と電気音響変換部１２Ｌ（図９）との経路長を比較すると、経路長ＥＬ１＜経路長ＥＬ２の関係となる。すなわち電気音響変換部２Ｌ（図５）は、仮想音源位置ＰＬ１が電気音響変換部１２Ｌ（図９）の仮想音源位置ＰＬ２よりもリスナの外耳道入口１０２Ｌ近傍に位置しているため、ダクト部ＤＣＬ内を伝わり孔部８ＡＬ（仮想音源位置ＰＬ１）から放射される低音を、電気音響変換部１２Ｌの場合よりも高い音圧レベルで鼓膜１０３Ｌまで到達させることができる。
【００４０】
すなわち図１２に特性曲線を重ねて示すように、ダクト部ＤＣＬによる低音の特性曲線ＳＬ１は、経路長ＥＬ１＜経路長ＥＬ２の関係により、管状ダクト１８Ｌ及び１９Ｌによる低音の特性曲線ＳＬ２と比較して全体的な音圧レベルが高くなる。
【００４１】
この結果、本発明による電気音響変換部２Ｌは、特性曲線ＳＭ及び特性曲線ＳＬ１が合成された特性曲線ＳＧ１に示すように、特性曲線ＳＭにおける低音域の音圧レベルが電気音響変換部１２Ｌの場合（特性曲線ＳＧ２）よりも上昇された、比較的低い周波数帯まで十分な音圧レベルの再生音をリスナに聴取させることができる。
【００４２】
ここで特性曲線ＳＧ１と特性曲線ＳＧ２とを比較すると、特性曲線ＳＧ２では低音域側へ進むに連れて比較的急峻に音圧レベルが低下しているのに対して、特性曲線ＳＧ１では低音域側へ進むに連れて音圧レベルの低下度合いが緩やかになっていることがわかる。
【００４３】
すなわち電気音響変換部２Ｌは、電気音響変換部１２Ｌと比較して、広い周波数帯域に渡って高い音圧レベルでなる、すなわち充分な低音域が含まれる良好な再生音をリスナの鼓膜１０３に伝達して聴取させることができる。
【００４４】
この場合、電気音響変換部２Ｌは、図４及び図５に示したように、リスナの外耳道入口１０２Ｌの近傍に管状ダクト８Ｌの後端側を位置させており、当該外耳道入口１０２Ｌを完全には閉塞しない。このため電気音響変換部２Ｌは、スピーカユニット７Ｌから出力する中高音及び管状ダクト８Ｌの孔部８ＡＬから放射する低音を合わせた再生音に加えて、リスナの周囲で発生した音（以下これを周囲音と呼ぶ）を遮断することなく当該リスナの鼓膜１０３Ｌまで到達させ聴取させることができる。
【００４５】
また電気音響変換部２Ｌは、ダクト部ＤＣＬを音響フィルタとして作用させることにより、管状ダクト８Ｌの孔部８ＡＬから再生音の中高域成分が放射されてしまうことを防止することができる。
【００４６】
この電気音響変換部２Ｌ及び電気音響変換部１２Ｌについて、人間の耳介及び外耳道を模した測定用治具を用いて実際の周波数特性を測定したところ、図１３に示すような特性曲線ＳＧ１１（電気音響変換部２Ｌの場合）及び特性曲線ＳＧ１２（電気音響変換部１２Ｌの場合）が得られた。
【００４７】
この図１３では、図１２に示した理論的な周波数特性と同様、およそ５００［Ｈｚ］以下の低音域において、電気音響変換部２Ｌの特性曲線ＳＧ１１が電気音響変換部１２Ｌの特性曲線ＳＧ１２よりも高い音圧レベルとなっている。すなわち、電気音響変換部２Ｌが実際にリスナに充分な低音を含む良好な再生音を聴取させ得ることが示されている。
【００４８】
このようにイヤースピーカ装置１は、リスナの頭部１００に装着された際、スピーカユニット７Ｌをリスナの外耳道入口１０２Ｌからやや離れた場所に位置させ再生音の中高音を放射すると共に、筐体部４Ｌから当該外耳道入口１０２Ｌの近傍まで延長されバスレフダクトとして作用するダクト部ＤＣＬを介して管状ダクト８Ｌの孔部８ＡＬから再生音の中高音を低減させた低音を放射することにより、自然な音像定位を与え充分な低音を含む良好な再生音を当該リスナに聴取させることができる。
【００４９】
（２）他のイヤースピーカ装置の構成例
ところでイヤースピーカ装置１は、図１〜４に示したように、装着部としてのバンド部３により電気音響変換部２Ｌ及び２Ｒをリスナの頭部１００に装着するようになされているが、このバンド部３に代えて他の種々の装着部を用いることにより電気音響変換部２Ｌ及び２Ｒをリスナの頭部１００に装着するようにしても良い。
【００５０】
なお、以下では、上述したイヤースピーカ装置１の場合と同様、主に左側の電気音響変換部２Ｌを例に説明するが、右側の電気音響変換部２Ｒについては、当該左側の電気音響変換部２Ｌと左右対称に構成されているものとする。
【００５１】
例えば図１４に示すイヤースピーカ装置２０は、いわゆるイヤークリップ型として構成されており、イヤースピーカ装置１（図１〜図４）におけるバンド部３に代えて、リスナの耳介１０１Ｌに引っ掛けるためのイヤークリップ２１Ｌが電気音響変換部２Ｌの筐体部４Ｌに取り付けられている。また筐体部４Ｌ内には、小空間４ＣＬ及び４ＤＬ並びに内部ダクト９ＡＬ及び９ＢＬが設けられ（図示せず）、管状ダクト８Ｌと合わせてダクト部ＤＣＬを構成するようになされている。
【００５２】
このイヤースピーカ装置２０は、イヤークリップ２１Ｌがリスナの耳介１０１Ｌに引っ掛けられることにより電気音響変換部２Ｌをリスナの頭部１００に装着することができ、イヤースピーカ装置１と同様、自然な音像定位を与えながら充分な低音を含む良好な再生音を当該リスナに聴取させ得るようになされている。
【００５３】
また図１５に示すイヤースピーカ装置３０は、所謂アンダーチン型として構成されており、イヤースピーカ装置１（図１〜図４）におけるバンド部３に代えて、左右の電気音響変換部２Ｌ及び２Ｒを接続すると共にリスナの耳介１０１Ｌに引っ掛けるためのバンド部３１が筐体部４Ｌに取り付けられている。このバンド部３１の中央部３１Ａは、下に凸の略アーチ状に形成され、リスナの顎の下を通って左右に渡されることを前提としている。また筐体部４Ｌ内には、小空間４ＣＬ及び４ＤＬ並びに内部ダクト９ＡＬ及び９ＢＬが設けられ（図示せず）、管状ダクト８Ｌと合わせてダクト部ＤＣＬを構成するようになされている。
【００５４】
このイヤースピーカ装置３０（図１５）は、バンド部３１の耳掛部３１ＢＬがリスナの耳介１０１Ｌに引っ掛けられることにより電気音響変換部２Ｌをリスナの頭部１００に装着することができ、イヤースピーカ装置１と同様、自然な音像定位を与えながら充分な低音を含む良好な再生音を当該リスナに聴取させ得るようになされている。
【００５５】
さらに図１６に示すイヤースピーカ装置４０は、所謂ショルダーホールド型として構成されており、イヤースピーカ装置１（図１〜図４）におけるバンド部３に代えて、左右の電気音響変換部２Ｌ及び２Ｒを接続すると共にリスナの肩部から支持するショルダーアーム４１が筐体部４Ｌに取り付けられている。このショルダーアーム４１の中央部４１Ａは、後ろに凸の略アーチ状に形成され、リスナの首の後ろから肩の上部に引っ掛けて左右に渡されることを前提としている。また筐体部４Ｌ内には、小空間４ＣＬ及び４ＤＬ並びに内部ダクト９ＡＬ及び９ＢＬが設けられ（図示せず）、管状ダクト８Ｌと合わせてダクト部ＤＣＬを構成するようになされている。
【００５６】
このイヤースピーカ装置４０（図１６）は、リスナの両肩に渡って引っ掛けられることにより電気音響変換部２Ｌをリスナの頭部１００に装着することができ、イヤースピーカ装置１と同様、自然な音像定位を与えながら充分な低音を含む良好な再生音を当該リスナに聴取させ得るようになされている。
【００５７】
さらに図１７に示すイヤースピーカ装置５０は、所謂ネックバンド型として構成されており、イヤースピーカ装置１（図１〜図４）におけるバンド部３に代えて、左右の電気音響変換部２Ｌ及び２Ｒを接続すると共にリスナの耳介１０１Ｌに掛けるためのバンド部５１が筐体部４Ｌに取り付けられている。このバンド部５１の中央部５１Ａは、後ろに凸の略アーチ状に形成され、リスナの後頭部の後ろ側で渡されることを前提としている。また筐体部４Ｌ内には、小空間４ＣＬ及び４ＤＬ並びに内部ダクト９ＡＬ及び９ＢＬが設けられ（図示せず）、管状ダクト８Ｌと合わせてダクト部ＤＣＬを構成するようになされている。
【００５８】
このイヤースピーカ装置５０（図１７）は、バンド部５１の耳掛部５１ＢＬがリスナの耳介１０１Ｌに引っ掛けられることにより電気音響変換部２Ｌをリスナの頭部１００に装着することができ、イヤースピーカ装置１と同様、自然な音像定位を与えながら充分な低音を含む良好な再生音を当該リスナに聴取させ得るようになされている。
【００５９】
さらに図１８に示すイヤースピーカ装置６０は、図１７に示したイヤースピーカ装置５０における電気音響変換部２Ｌをリスナの耳介１０１よりも後方に位置させると共に、管状ダクト８Ｌに代えて略Ｌ字状でなる管状ダクト６８Ｌがリスナの耳介１０１Ｌの後方に位置する筐体部４Ｌから外耳道入口１０２Ｌの近傍まで延長されている。また左右の電気音響変換部２Ｌ及び２Ｒは、リスナの首の後ろ側で渡されるバンド部６１により接続されている。さらに筐体部４Ｌ内には、小空間４ＣＬ及び内部ダクト９ＡＬが設けられ（図示せず）、管状ダクト６８Ｌと合わせてダクト部ＤＣＬを構成するようになされている。
【００６０】
このイヤースピーカ装置６０（図１８）は、管状ダクト６８Ｌがリスナの耳介１０１Ｌに引っ掛けられることにより電気音響変換部２Ｌをリスナの頭部１００に装着することができ、イヤースピーカ装置１と同様、自然な音像定位を与えながら充分な低音を含む良好な再生音を当該リスナに聴取させ得るようになされている。
【００６１】
さらに図１９に示すイヤースピーカ装置７０は、電気音響変換部２Ｌに加えて、上述した電気音響変換部１２Ｌ（図９）と同様の構成でなる後方電気音響変換部７２Ｌを有しており、イヤースピーカ装置１（図１〜図４）におけるバンド部３に代わるバンド部７１により、電気音響変換部２Ｌを耳介１０１Ｌの前方に位置させると共に、後方電気音響変換部７２Ｌを当該耳介１０１Ｌの後方に位置させるようになされている。また筐体部４Ｌ内には、小空間４ＣＬ及び４ＤＬ並びに内部ダクト９ＡＬ及び９ＢＬが設けられ（図示せず）、管状ダクト８Ｌと合わせてダクト部ＤＣＬを構成するようになされている。
【００６２】
因みに、後方電気音響変換部７２Ｌには、４チャンネルや５．１チャンネル等のマルチチャンネル音源におけるリアチャンネル用の音声信号が供給されるようになされている。
【００６３】
このイヤースピーカ装置７０（図１９）は、リスナの頭部１００に装着されることにより、電気音響変換部２Ｌ及び後方電気音響変換部７２Ｌを当該リスナの頭部１００に装着することができ、電気音響変換部２Ｌ及び後方電気音響変換部７２Ｌの間に耳介１０１Ｌを挟み込んだ状態で、自然な音像定位を与えながら、サラウンド音でなり充分な低音を含む良好な再生音を当該リスナに聴取させ得るようになされている。
【００６４】
またこの場合、イヤースピーカ装置７０（図１９）では、バンド部７１に加振器７５を取り付け、例えば５．１チャンネル音源における重低音成分に応じた振動をリスナの頭部１００に加えるようにしても良い。
【００６５】
なおイヤースピーカ装置７０（図１９）は、電気音響変換部２Ｌから管状ダクト８Ｌをリスナの外耳道入口１０２Ｌ近傍まで延長する以外にも、イヤースピーカ装置６０（図１８）と同様、後方用電気音響変換部７２Ｌから管状ダクトをリスナの外耳道入口１０２Ｌ近傍まで延長するようにし、或いは電気音響変換部２Ｌ及び後方用電気音響変換部７２Ｌの両方から管状ダクトをリスナの外耳道入口１０２Ｌ近傍まで延長するようにしても良い。
【００６６】
さらに図２０に示すイヤースピーカ装置８０は、イヤースピーカ装置１（図１〜図４）におけるバンド部３に代えて、左右の電気音響変換部２Ｌ及び２Ｒを接続すると共にリスナの頬よりも前側に位置させるためのバンド部８１が筐体部４Ｌに取り付けられている。
【００６７】
また筐体部４Ｌには、管状ダクト８Ｌに代えて筐体部４Ｌからリスナの外耳道入口１０２Ｌ近傍まで延長された管状ダクト８８Ｌが設けられている。なお、管状ダクト８８Ｌは、再生音における良好な低音を孔部８８ＡＬから放射するべく、その内径や音の経路長等が適切に計算されている。さらに筐体部４Ｌ内には、小空間４ＣＬ及び４ＤＬ並びに内部ダクト９ＡＬ及び９ＢＬが設けられ（図示せず）、管状ダクト８８Ｌと合わせてダクト部ＤＣＬを構成するようになされている。
【００６８】
このイヤースピーカ装置８０（図２０）は、リスナの頭部１００に装着されることにより、筐体部４Ｌを当該リスナの頬よりも前方に位置させることができる。この場合、スピーカユニット７Ｌから放射された中高音は、当該リスナの頬等において反射されることによりその特性が変化するため、イヤースピーカ装置１の場合と比較して、一般的な据置型のスピーカから放射された音に一層近づけられることになる。これによりイヤースピーカ装置８０は、一段と自然な定位感を与え得る再生音をリスナに聴取させることができる。
【００６９】
このように本発明では、イヤースピーカ装置１のバンド部３（図１〜図４）以外にも、イヤースピーカ装置２０〜８０（図１４〜図２０）のような種々の方式でなる装着部により、電気音響変換部２Ｌ及び２Ｒをリスナの頭部１００に対して装着させるようにしても良い。
【００７０】
（３）動作及び効果
以上の構成において、イヤースピーカ装置１は、筐体部４Ｌに内部ダクト９ＡＬ及び９ＢＬ、小空間４ＣＬ及び４ＤＬ並びに管状ダクト８Ｌにより構成される２系統のダクト、すなわちダクト部ＤＣＬが設けられ、リスナの頭部１００に装着されることにより、電気音響変換部２Ｌの筐体部４Ｌに設けられたスピーカユニット７Ｌを当該リスナの外耳道入口１０２Ｌよりもやや前方に位置させると共に、管状ダクト８Ｌの後側における先端部分を外耳道入口１０２Ｌの近傍に位置させた状態で、所定のアンプから供給される音声信号に基づいた再生音を出力する。
【００７１】
このときイヤースピーカ装置１の電気音響変換部２Ｌ（図５）は、スピーカユニット７Ｌから放射される中高音がリスナの鼓膜１０３Ｌに到達するまでの経路長ＥＭよりも、管状ダクト８Ｌの孔部８ＡＬから放射される低音が当該鼓膜１０３Ｌに到達するまでの経路長ＥＬ１を短くすることになるため、特性曲線ＳＭ（図７）に示したような中高音に対して、特性曲線ＳＬ１に示したように比較的音圧レベルが高い低音を当該鼓膜１０３Ｌに到達させることができる。
【００７２】
従ってイヤースピーカ装置１の電気音響変換部２Ｌは、スピーカユニット７Ｌから放射された中高音を当該リスナの頬や耳介１０１Ｌ等で反射させて鼓膜１０３Ｌに到達させることができるので、一般的なスピーカを介して再生音を聴取する場合と似た特性の再生音を当該リスナに聴取させることができ、音像が頭外に位置しているような自然な定位感を与えることができる。
【００７３】
さらにイヤースピーカ装置１の電気音響変換部２Ｌは、管状ダクト８Ｌがリスナの外耳道入口１０２Ｌ近傍まで延長されていることにより、特性曲線ＳＧ１（図９）及び特性曲線ＳＧ１１（図１０）に示したような、比較的低音域まで充分な音圧レベルでなる良好な再生音をリスナに聴取させることができる。
【００７４】
この場合、イヤースピーカ装置１の電気音響変換部２Ｌは、管状ダクト８Ｌがリスナの外耳道入口１０２Ｌ近傍まで延長されているため、一般的なバスレフ型の電気音響変換部２Ｌ（図９）において管状ダクト１８Ｌ及び１９Ｌから出力される特性曲線ＳＬ２（図１０）のような低音と比較して、特性曲線ＳＬ１（図１０）のような音圧レベルが大きい低音をリスナの鼓膜１０３Ｌに到達させることができ、スピーカユニット７Ｌの口径が比較的小さく外耳道入口１０２Ｌからやや離れていることにより不足しがちな低音を、十分な音圧レベルでリスナに聴取させることができる。
【００７５】
またイヤースピーカ装置１の電気音響変換部２Ｌは、ダクト部ＤＣＬを音響フィルタとして作用させることにより、管状ダクト８Ｌの孔部８ＡＬから再生音の中高域成分が放射されてしまうことを防止することができるので、スピーカユニット７Ｌから出力される中高音により形成される音像定位を崩すことなく、リスナに自然な定位感を与えることができる。
【００７６】
さらにイヤースピーカ装置１は、低音の再生音量を上げるのではなく、低音の放射口を鼓膜１０３Ｌに近づけることによりリスナの鼓膜１０３Ｌ（図５）に充分な低音を到達させているため、例えば大口径のスピーカやサブウーファー等を用いて低音を再生するような場合と比較して、周囲に漏れる低音や振動をほぼ皆無とすることができる。従って、例えばリスナが深夜にイヤースピーカ装置１を介して再生音を聴取する場合等に、近隣や周囲への迷惑を殆ど気にすることなく、充分な低音が含まれる良好な再生音を堪能することができる。
【００７７】
さらに管状ダクト８Ｌは、リスナの外耳道入口１０２Ｌを塞がないため、再生音と共に、当該リスナの周囲で発生した周囲音を遮断することなく鼓膜１０３Ｌに到達させ聴取させることができる。
【００７８】
これにより、イヤースピーカ装置１は、リスナが歩行するときやスポーツを行うときなど、リスナが周囲の音も聴取する必要がある場合にも、良好な再生音に加えて周囲音を聴取させることができる。
【００７９】
またイヤースピーカ装置１は、リスナの耳介１０１Ｌ等を覆うことがないため、一般的なヘッドホンを装着したリスナが感じるような閉塞感や蒸れといった不快感を与えることがない。さらに密閉空間を形成しないため、密閉型ヘッドホンを使用した場合に生じ得る、外耳道における共振周波数の変化を生じることもなく、リスナに違和感を与えることもない。
【００８０】
そのうえイヤースピーカ装置１は、低音の放射口を鼓膜１０３Ｌに近づけることによりリスナに十分な音量レベルの低音を聴取させ得るため、スピーカユニット７Ｌの口径を不必要に大きくする必要が無く、筐体部４の大きさを必要最小限に止めることができる。これにより、イヤースピーカ装置１全体の大きさや重量を必要最小限に抑えることができるので、リスナがイヤースピーカ装置１を装着した際の大きさや重さによる煩わしさを極力抑えることができる。
【００８１】
以上の構成によれば、イヤースピーカ装置１は、内部ダクト９ＡＬ及び９ＢＬ、小空間４ＣＬ及び４ＤＬ並びに管状ダクト８Ｌでなるダクト部ＤＣＬが設けられ、リスナの頭部１００に装着された際、電気音響変換部２Ｌのスピーカユニット７Ｌを当該リスナの外耳道入口１０２Ｌよりもやや前方に位置させると共に管状ダクト８Ｌが外耳道入口１０２Ｌへ向けて延長された状態で再生音を出力することにより、バスレフダクトとして作用するダクト部ＤＣＬの管状ダクト８Ｌの孔部８ＡＬから中高音を減衰させた低音を十分な音圧レベルで鼓膜１０３に伝達することができるので、自然な音像定位を与え比較的低音域まで充分な音圧レベルでなる良好な再生音をリスナに聴取させることができる。
【００８２】
（４）他の実施の形態
なお上述した実施の形態においては、小空間４ＣＬ及び４ＤＬの内部に何も設けず単なる空間とするようにした場合について述べたが、本発明はこれに限らず、例えば図６との対応部分に同一符号を付した図２１に示すように、イヤースピーカ装置１２０の電気音響変換部１２２Ｌにおける小空間４ＣＬ内に、音響抵抗部材（例えばスポンジ等）でなる吸音材ＳＡを設けるようにしても良い。
【００８３】
電気音響変換部１２２Ｌのダクト部ＤＣＬは、吸音材ＳＡにより小空間４ＣＬ内で共振した中高音が吸収されるため、電気音響変換部２Ｌ（図６）と比較して、孔部８ＡＬから放射される不要な中高音を一段と減衰させることができる。なお吸音材ＳＡの形状や分量等は、小空間４ＣＬの形状や共振による周波数特性等に応じて適宜調整すれば良い。
【００８４】
また上述した実施の形態においては、内部ダクト９ＡＬ及び９ＢＬ、小空間４ＣＬ及び４ＤＬ並びに管状ダクト８Ｌでなるダクト部ＤＣＬを設けるようにした場合について述べたが、本発明はこれに限らず、例えば図５との対応部分に同一符号を付した図２２に示すように、イヤースピーカ装置１３０における電気音響変換部１３２Ｌの筐体部１３４Ｌ内に内部隔壁１３４ＴＬ及びパッシブラジエータ１３９Ｌにより区切られた小空間１３４ＣＬを設け、これと管状ダクト８Ｌとを組み合わせてダクト部ＤＣＬを構成するようにしても良い。
【００８５】
パッシブラジエータ１３９Ｌは、一般にはドローンコーンとも呼ばれ、略円盤状の軽い材料でなる振動板１３９ＣＬがエッジ１３９ＥＬを介して内部隔壁１３４ＴＬに取り付けられており、スピーカユニット７Ｌの振動板（図示せず）の振動に応じて筐体部１３４Ｌ内の圧力が変化する際、その圧力変化に応じて振動板１３９ＣＬを振動させるようになされている。
【００８６】
これによりパッシブラジエータ１３９Ｌ及び小空間１３４ＣＬは、電気音響変換部２Ｌ（図５）における内部ダクト９ＡＬ及び９ＢＬ並びに小空間４ＣＬ及び４ＤＬと同様の効果を有し、中高音を減衰させて主に低音を管状ダクト８Ｌに伝達することができる。この結果、電気音響変換部１３２Ｌは、電気音響変換部２Ｌと同様に、管状ダクト８Ｌの孔部８ＡＬから放射される中高音を大幅に低減させることができ、中高音と低音とのバランスを適正に保つと共に、スピーカユニット７Ｌから放射される中高音を乱すことなく自然な音像定位をリスナに与えることができる。
【００８７】
さらに上述した実施の形態においては、イヤースピーカ装置１がリスナの頭部１００に装着された際、管状ダクト８Ｌの孔部８ＡＬがリスナの鼓膜１０３Ｌの方向へ向くように当該孔部８ＡＬを設けるようにした場合について述べたが、本発明はこれに限らず、例えば図５との対応部分に同一符号を付した図２３に示すように、イヤースピーカ装置１４０の電気音響変換部１４２Ｌにおける管状ダクト１４８Ｌの孔部１４８ＡＬを、リスナの鼓膜１０３Ｌと異なる方向（例えば後方）に向けて設けるようにしても良い。
【００８８】
この場合、中高音の指向性は比較的強く低音の指向性は弱い、といった音の一般的な性質により、管状ダクト１４８Ｌの孔部１４８ＡＬから放射される中高音をリスナの鼓膜１０３Ｌへ殆ど到達させないようにすると共に、仮想音源位置ＰＬ３を仮想音源位置ＰＬ１（図５）とほぼ同位置として経路長ＥＬ３を経路長ＥＬ１（図５）とほぼ同等とし、当該孔部１４８ＡＬから放射される低音を殆ど低減させることなくリスナの鼓膜１０３Ｌへ十分に伝えることができる。この結果、電気音響変換部１４２Ｌも、電気音響変換部２Ｌと同様に、スピーカユニット７Ｌから放射される中高音により自然な音像定位をリスナに与えることができる。
【００８９】
また上述した実施の形態においては、小空間４ＣＬ及び４ＤＬをほぼ直方体状とするようにした場合について述べたが、本発明はこれに限らず、例えば略円柱状や略三角錐状等の種々の形状であっても良く、要は所定の容積を有することによりダクト部ＤＣＬ全体として中高音を減衰し得るようになされていれば良い。
【００９０】
さらに上述した実施の形態においては、２系統のダクト部ＤＣＬを設けるようにした場合について述べたが、本発明はこれに限らず、１系統や３系統以上のダクト部ＤＣＬを設ける等しても良く、このとき管状ダクト８Ｌの後端部分は互いに接続され或いは分離されていても良い。
【００９１】
例えば、図１との対応部分に同一符号を付した図２４に示すように、イヤースピーカ装置１５０の電気音響変換部１５２Ｌに１本の管状ダクト１５８Ｌを設け、内部に小空間４ＣＬ及び内部ダクト９ＡＬ（図示せず）を設けるようにしても良い。この場合、管状ダクト１５８Ｌの後側先端部には、リスナの外耳道入口１０２Ｌを傷つけないためのスポンジ等でなる保護部１５９Ｌが取り付けられていても良い。
【００９２】
また、管状ダクト８Ｌ（図１〜図７）は、金属等の固い材料で形成されていても良く、或いは可撓性を有する樹脂等の柔らかい材料で形成されていても良い。この場合、当該管状ダクト８Ｌの材料の違いを考慮した上で内径や経路長が設計されていれば良い。
【００９３】
さらに上述した実施の形態においては、管状ダクト８Ｌが筐体部４Ｌのバッフル板４ＡＬを貫通するようにした場合について述べたが、本発明はこれに限らず、当該管状ダクト８Ｌが当該筐体４Ｌにおける他の側面を貫通し、小空間４ＣＬ及び４ＤＬと繋がるようにしても良い。
【００９４】
さらには、図５との対応部分に同一符号を付した図２５に示すように、イヤースピーカ装置１６０の筐体部１６４Ｌに対して管状ダクト１６８Ｌを自在に着脱し得るようにしても良い。この場合、例えば筐体部１６４Ｌのバッフル板１６４ＡＬに管状ダクト１６８Ｌを保持するためのダクト保持部１６４ＢＬを設け、当該管状ダクト１６８Ｌの前側端部に、ダクト保持部１６４ＢＬと勘合する勘合部１６８ＡＬを設けておけば良い。
【００９５】
さらに上述した実施の形態においては、図７に示したようにダクト部ＤＣＬを構成する２系統のダクトをほぼ対称構造とするようにした場合について述べたが、本発明はこれに限らず、例えば図７との対応部分に同一符号を付した図２６に示すように、イヤースピーカ装置１７０において、内部ダクト１７９ＡＬ及び１７９ＢＬの長さ及び内径を互いに異なるようにし、または管状ダクト１７８Ｌの前側端部から孔部１７８ＡＬまでの有効長を不等長とし、あるいは小空間１７４ＣＬ及び１７４ＤＬの容積や形状を互いに相違させ、さらにはこれらを適宜組み合わせるようにしても良い。
【００９６】
この場合、ダクト部ＤＣＬの系統ごとに音の中高域成分のうち減衰における周波数特性が互いに異なるため、管状ダクト１７８Ｌの孔部１７８ＡＬから中高音のうち特定の周波数が十分に減衰されずに放射されてしまう可能性を大幅に低減することができる。
【００９７】
さらに上述した実施の形態においては、イヤースピーカ装置１が左右の電気音響変換部２Ｌ及び２Ｒを有し、２チャンネルの再生音を出力するようにした場合について述べたが、本発明はこれに限らず、例えば左側の電気音響変換部２Ｌのみを有し１チャンネルの再生音を出力するようにしても良い。
【００９８】
さらに上述した実施の形態においては、筐体部４に中高音用のスピーカユニット７Ｌを設けるようにした場合について述べたが、本発明はこれに限らず、例えば中音用及び高音用といった２つのスピーカユニットを１つの筐体部４に設けて２ウェイスピーカとするなど、複数のスピーカユニットを筐体部４に設けるようにしても良い。
【００９９】
さらに上述した実施の形態においては、球体を垂直方向に４等分したような形状でなる筐体部４Ｌ及び４Ｒを用いるようにした場合について述べたが、本発明はこれに限らず、筐体部が例えば立方体状や円柱状等の種々の形状であっても良く、要はバスレフ型スピーカのエンクロージャとして機能し得るようなほぼ密閉された空間を内部に有していれば良い。
【０１００】
さらに上述した実施の形態においては、筐体部としての筐体部４Ｌ及び４Ｒと、スピーカユニットとしてのスピーカユニット７Ｌ及び７Ｒと、ダクト部としてのダクト部ＤＣＬとによって電気音響変換器としての電気音響変換部２Ｌ及び２Ｒを構成する場合について述べたが、本発明はこれに限らず、その他種々の構成でなる筐体部と、スピーカユニットと、ダクト部とによって電気音響変換器を構成するようにしても良い。
【０１０１】
さらに上述した実施の形態においては、筐体部としての筐体部４Ｌ及び４Ｒと、スピーカユニットとしてのスピーカユニット７Ｌ及び７Ｒと、ダクト部としてのダクト部ＤＣＬ及びＤＣＲと、電気音響変換器としての電気音響変換部２Ｌ及び２Ｒと、装着部としてのバンド部３とによってイヤースピーカ装置としてのイヤースピーカ装置１を構成する場合について述べたが、本発明はこれに限らず、その他種々の構成でなる筐体部と、スピーカユニットと、ダクト部と、電気音響変換器と、装着部とによってイヤースピーカ装置を構成するようにしても良い。
【産業上の利用可能性】
【０１０２】
本発明は、バスレフ型のスピーカ以外にも、バックロードホーン型等の種々のダクトを有するスピーカ装置をリスナの頭部に装着させる種々のイヤースピーカ装置でも利用できる。
【図面の簡単な説明】
【０１０３】
【図１】イヤースピーカ装置の全体構成（１）を示す略線的斜視図である。
【図２】イヤースピーカ装置の全体構成（２）を示す略線的後面図である。
【図３】イヤースピーカ装置の全体構成（３）を示す略線的前面図である。
【図４】イヤースピーカ装置の装着状態（１）を示す略線的側面図である。
【図５】イヤースピーカ装置の装着状態（２）を示す略線的上断面図である。
【図６】イヤースピーカ装置の内部構造（１）を示す略線的上断面図である。
【図７】イヤースピーカ装置の内部構造（２）を示す略線的左断面図である。
【図８】ダクト部の音響回路を示す回路図である。
【図９】一般的なバスレフ型のイヤースピーカ装置を示す略線的上断面図である。
【図１０】従来のバスレフ型スピーカにおける周波数特性を示す略線図である。
【図１１】本発明によるイヤースピーカ装置の周波数特性を示す略線図である。
【図１２】理論的な周波数特性を示す略線図である。
【図１３】実測による周波数特性を示す略線図である。
【図１４】イヤースピーカ装置の構成及び装着の例（１）を示す略線的側面図である。
【図１５】イヤースピーカ装置の構成及び装着の例（２）を示す略線的側面図である。
【図１６】イヤースピーカ装置の構成及び装着の例（３）を示す略線的側面図である。
【図１７】イヤースピーカ装置の構成及び装着の例（４）を示す略線的側面図である。
【図１８】イヤースピーカ装置の構成及び装着の例（５）を示す略線的側面図である。
【図１９】イヤースピーカ装置の構成及び装着の例（６）を示す略線的側面図である。
【図２０】イヤースピーカ装置の構成及び装着の例（７）を示す略線的側面図である。
【図２１】他の実施の形態によるイヤースピーカ装置の構成（１）を示す略線的上断面図である。
【図２２】他の実施の形態によるイヤースピーカ装置の構成（２）を示す略線的上断面図である。
【図２３】他の実施の形態によるイヤースピーカ装置の構成及び装着状態を示す略線的上断面図である。
【図２４】他の実施の形態による管状ダクトの構成例（１）を示す略線的斜視図である。
【図２５】他の実施の形態による管状ダクトの構成例（２）を示す略線的斜視図である。
【図２６】他の実施の形態による管状ダクトの構成例（３）を示す略線的斜視図である。
【符号の説明】
【０１０４】
１、１２０、１３０、１４０、１５０、１６０、１７０……イヤースピーカ装置、２Ｌ、２Ｒ、７２Ｌ、１２２Ｌ、１３２Ｌ、１４２Ｌ、１５２Ｌ、１７２Ｌ、……電気音響変換部、３……バンド部、４Ｌ、４Ｒ、１３４Ｌ、１６４Ｌ、１７４Ｌ……筐体部、４ＣＬ、４ＤＬ……小空間、４ＴＬ、４ＵＬ……内部隔壁、７Ｌ、７Ｒ……スピーカユニット、８Ｌ、８Ｒ、１４８Ｌ、１６８Ｌ、１７８Ｌ……管状ダクト、８ＡＬ、８ＡＲ、１４８ＡＬ、１７８ＡＬ……孔部、９ＡＬ、９ＢＬ……内部ダクト、ＤＣＬ……ダクト部、１００……頭部、１０１Ｌ……耳介、１０２Ｌ……外耳道入口、１０３Ｌ……鼓膜。
【図１】
0004826467.tif 000002
【図２】
0004826467.tif 000003
【図３】
0004826467.tif 000004
【図４】
0004826467.tif 000005
【図５】
0004826467.tif 000006
【図６】
0004826467.tif 000007
【図７】
0004826467.tif 000008
【図８】
0004826467.tif 000009
【図９】
0004826467.tif 000010
【図１０】
0004826467.tif 000011
【図１１】
0004826467.tif 000012
【図１２】
0004826467.tif 000013
【図１３】
0004826467.tif 000014
【図１４】
0004826467.tif 000015
【図１５】
0004826467.tif 000016
【図１６】
0004826467.tif 000017
【図１７】
0004826467.tif 000018
【図１８】
0004826467.tif 000019
【図１９】
0004826467.tif 000020
【図２０】
0004826467.tif 000021
【図２１】
0004826467.tif 000022
【図２２】
0004826467.tif 000023
【図２３】
0004826467.tif 000024
【図２４】
0004826467.tif 000025
【図２５】
0004826467.tif 000026
【図２６】
0004826467.tif 000027